【手続補正書】
【提出日】平成18年11月24日(2006.11.24)
【手続補正１】
【補正対象書類名】明細書
【補正対象項目名】特許請求の範囲
【補正方法】変更
【補正の内容】
【特許請求の範囲】
【請求項１】  画素データを順次出力するイメージセンサに接続されたイメージデータ処理装置であって、
前記イメージセンサの補正対象画素のアドレスを記憶する記憶手段と、
補正指示があったときに前記イメージセンサから入力される画素データに補正処理を行う補正手段と、
前記補正対象画素のアドレスに該当する画素データが前記イメージセンサから前記補正手段に入力されるのに同期して前記補正手段に前記補正指示を出力する補正指示出力手段と
を備えたことを特徴とするイメージデータ処理装置。
【請求項２】  イメージデータを画素データグループに分けて出力するイメージセンサの出力端子に接続されたイメージデータ処理装置であって、
前記イメージセンサの１つ以上の補正対象画素のアドレスを記憶するメモリ部と、
前記イメージセンサから出力される現在の画素データグループを指示するグループカウンタと、
前記メモリ部から前記補正対象画素のアドレスを読み出すメモリデータフェッチ部と、
前記メモリデータフェッチ部で読み出された補正対象画素のアドレスが属する画素データグループと前記グループカウンタで指示された画素データグループとが一致しているか否かを判定するアドレスデコード部と、
前記アドレスデコード部での判定結果に応じて補正指示信号を出力するシフトレジスタと、
前記シフトレジスタから出力された補正指示信号をもとに前記イメージセンサから出力される画素データの補正を行う画像補正部と
を有することを特徴とするイメージデータ処理装置。
【請求項３】  前記イメージセンサの出力端子に現れる画素データに同期して前記シフトレジスタがシフトして前記補正指示信号を前記画像補正部に出力することを特徴とする請求項２に記載のイメージデータ処理装置。
【請求項４】  前記イメージセンサの出力端子にはある画素データグループと次の画素データグループとが既定の間隔をおいて現れ、前記シフトレジスタは前記既定の間隔の期間に初期化処理されることを特徴とする請求項２または３に記載のイメージデータ処理装置。
【請求項５】  イメージデータを画素データグループに分けて出力するイメージセンサの出力端子に接続されたイメージデータ処理装置であって、
前記イメージセンサの１つ以上の補正対象画素のアドレスを記憶するメモリ部と、
前記イメージセンサから出力される現在の画素データグループを既定区分に分けた群を指示する群カウンタと、
前記メモリ部に記憶された前記補正対象画素のアドレスを読み出すメモリデータフェッチ部と、
前記メモリデータフェッチ部で読み出された補正対象画素のアドレスが属する群と前記群カウンタで指示された群とが一致しているか否かを判定するアドレスデコード部と、
前記アドレスデコード部での判定結果に応じて補正指示信号を出力する複数のシフトレジスタと、
前記複数のシフトレジスタのうちセレクタを介して接続されたシフトレジスタからの補正指示信号をもとに前記イメージセンサから出力される画素データの補正を行う画像補正部と
を有することを特徴とするイメージデータ処理装置。
【請求項６】  前記複数のシフトレジスタは、前記群が変わるごとに交互に、前記イメージセンサの出力端子に現れる画素データに同期してシフトして前記補正指示信号を前記画像補正部に出力することを特徴とする請求項５に記載のイメージデータ処理装置。
【請求項７】  前記複数のシフトレジスタは、１つのシフトレジスタが前記補正指示信号を前記画像補正部に出力している期間に、それ以外のシフトレジスタが初期化処理されていることを特徴とする請求項５または６に記載のイメージデータ処理装置。
【請求項８】  前記シフトレジスタと前記画像補正部とが同一半導体チップ上に形成されていることを特徴とする請求項２〜７の何れか１項に記載のイメージデータ処理装置。
【請求項９】  イメージセンサの出力端子に接続されたイメージデータ処理装置において、
前記イメージセンサの補正対象画素のアドレスを記憶するメモリからアドレスデータを読み出し、
前記アドレスデータに基づいてシフトレジスタを設定し、
前記イメージセンサからのデータに同期して前記シフトレジスタを動作させて前記イメージセンサからのデータに対する画素補正を制御する構成としたことを特徴とするイメージデータ処理装置。
【請求項１０】  イメージセンサの出力端子に接続されたイメージデータ処理装置において、
前記イメージセンサの補正対象画素のアドレスを記憶するメモリからアドレスデータを読み出し、
前記アドレスデータに基づいて複数のシフトレジスタのいずれかを設定し、同時に前記イメージセンサからのデータに同期して別のシフトレジスタを動作させて画素補正を制御する構成としたことを特徴とするイメージデータ処理装置。
【請求項１１】  少なくとも、
被写体像を結像する光学系と、
前記光学系で結像された被写体像を画像信号として出力するイメージセンサと、
前記請求項１〜１０の何れか１項に記載のイメージデータ処理装置と、
前記イメージデータ処理装置からの画像信号を処理する信号処理手段と
を有することを特徴とする撮像システム。
【請求項１２】  イメージセンサから順次出力される画素データを処理するためのイメージデータ処理方法であって、
補正指示があったときに前記イメージセンサから入力される画素データに補正処理を行う補正手順と、
補正対象画素のアドレスに該当する画素データが前記イメージセンサから入力されるのに同期して前記補正指示を出力する補正指示出力手順と
を有することを特徴とするイメージデータ処理方法。
【請求項１３】  イメージセンサからのデータを処理するためのイメージデータ処理方法であって、
前記イメージセンサの補正対象画素のアドレスを記憶するメモリからアドレスデータを読み出し、
前記アドレスデータに基づいてシフトレジスタを設定し、
前記イメージセンサからのデータに同期して前記シフトレジスタを動作させて前記イメージセンサからのデータに対する画素補正を制御することを特徴とするイメージデータ処理方法。
【請求項１４】  イメージセンサからのデータを処理するためのイメージデータ処理方法であって、
前記イメージセンサの補正対象画素のアドレスを記憶するメモリからアドレスデータを読み出し、
前記アドレスデータに基づいて複数のシフトレジスタのいずれかを設定し、同時に前記イメージセンサからのデータに同期して別のシフトレジスタを動作させて画素補正を制御することを特徴とするイメージデータ処理方法。
【請求項１５】  イメージセンサから順次出力される画素データの処理をコンピュータに実行させるためのコンピュータプログラムであって、
補正指示があったときに前記イメージセンサから入力される画素データに補正処理を行う処理と、
補正対象画素のアドレスに該当する画素データが前記イメージセンサから入力されるのに同期して前記補正指示を出力する補正指示出力処理と
をコンピュータに実行させるためのコンピュータプログラム。
【請求項１６】  イメージセンサから順次出力される画素データの処理をコンピュータに実行させるためのコンピュータプログラムであって、
前記イメージセンサの補正対象画素のアドレスを記憶するメモリからアドレスデータを読み出し、
前記アドレスデータに基づいてシフトレジスタを設定し、
前記イメージセンサからのデータに同期して前記シフトレジスタを動作させて前記イメージセンサからのデータに対する画素補正を制御する処理をコンピュータに実行させるためのコンピュータプログラム。
【請求項１７】  イメージセンサから順次出力される画素データの処理をコンピュータに実行させるためのコンピュータプログラムであって、
前記イメージセンサの補正対象画素のアドレスを記憶するメモリからアドレスデータを読み出し、
前記アドレスデータに基づいて複数のシフトレジスタのいずれかを設定し、同時に前記イメージセンサからのデータに同期して別のシフトレジスタを動作させて画素補正を制御する処理をコンピュータに実行させるためのコンピュータプログラム。
【請求項１８】  請求項１５〜１７のいずれか１項に記載のコンピュータプログラムを格納したことを特徴とするコンピュータ読み取り可能な記憶媒体。
【手続補正２】
【補正対象書類名】明細書
【補正対象項目名】０００６
【補正方法】変更
【補正の内容】
【０００６】
【課題を解決するための手段】
本発明のイメージデータ処理装置は、画素データを順次出力するイメージセンサに接続されたイメージデータ処理装置であって、前記イメージセンサの補正対象画素のアドレスを記憶する記憶手段と、補正指示があったときに前記イメージセンサから入力される画素データに補正処理を行う補正手段と、前記補正対象画素のアドレスに該当する画素データが前記イメージセンサから前記補正手段に入力されるのに同期して前記補正手段に前記補正指示を出力する補正指示出力手段とを備えたことを特徴とするものである。
【手続補正３】
【補正対象書類名】明細書
【補正対象項目名】０００７
【補正方法】変更
【補正の内容】
【０００７】
本発明のイメージデータ処理装置の他の特徴とするところは、イメージセンサの出力端子に接続されたイメージデータ処理装置において、前記イメージセンサの補正対象画素のアドレスを記憶するメモリからアドレスデータを読み出し、前記アドレスデータに基づいてシフトレジスタを設定し、前記イメージセンサからのデータに同期して前記シフトレジスタを動作させて前記イメージセンサからのデータに対する画素補正を制御する構成としたことを特徴とするものである。
【手続補正４】
【補正対象書類名】明細書
【補正対象項目名】０００８
【補正方法】変更
【補正の内容】
【０００８】
また、本発明のイメージデータ処理装置のその他の特徴とするところは、イメージセンサの出力端子に接続されたイメージデータ処理装置において、前記イメージセンサの補正対象画素のアドレスを記憶するメモリからアドレスデータを読み出し、前記アドレスデータに基づいて複数のシフトレジスタのいずれかを設定し、同時に前記イメージセンサからのデータに同期して別のシフトレジスタを動作させて画素補正を制御する構成としたことを特徴とするものである。
【手続補正５】
【補正対象書類名】明細書
【補正対象項目名】０００９
【補正方法】変更
【補正の内容】
【０００９】
本発明の撮像システムは、少なくとも、被写体像を結像する光学系と、前記光学系で結像された被写体像を画像信号として出力するイメージセンサと、前記請求項１〜１０の何れか１項に記載のイメージデータ処理装置と、前記イメージデータ処理装置からの画像信号を処理する信号処理手段とを有することを特徴とするものである。
【手続補正６】
【補正対象書類名】明細書
【補正対象項目名】００１０
【補正方法】変更
【補正の内容】
【００１０】
本発明のイメージデータ処理方法は、イメージセンサから順次出力される画素データを処理するためのイメージデータ処理方法であって、補正指示があったときに前記イメージセンサから入力される画素データに補正処理を行う補正手順と、補正対象画素のアドレスに該当する画素データが前記イメージセンサから入力されるのに同期して前記補正指示を出力する補正指示出力手順とを有することを特徴とするものである。
【手続補正７】
【補正対象書類名】明細書
【補正対象項目名】００１１
【補正方法】変更
【補正の内容】
【００１１】
本発明のイメージデータ処理方法の他の特徴とするところは、イメージセンサからのデータを処理するためのイメージデータ処理方法であって、前記イメージセンサの補正対象画素のアドレスを記憶するメモリからアドレスデータを読み出し、前記アドレスデータに基づいてシフトレジスタを設定し、前記イメージセンサからのデータに同期して前記シフトレジスタを動作させて前記イメージセンサからのデータに対する画素補正を制御することを特徴とするものである。
【手続補正８】
【補正対象書類名】明細書
【補正対象項目名】００１２
【補正方法】変更
【補正の内容】
【００１２】
また、本発明のイメージデータ処理方法のその他の特徴とするところは、イメージセンサからのデータを処理するためのイメージデータ処理方法であって、前記イメージセンサの補正対象画素のアドレスを記憶するメモリからアドレスデータを読み出し、前記アドレスデータに基づいて複数のシフトレジスタのいずれかを設定し、同時に前記イメージセンサからのデータに同期して別のシフトレジスタを動作させて画素補正を制御することを特徴とするものである。
【手続補正９】
【補正対象書類名】明細書
【補正対象項目名】００１３
【補正方法】変更
【補正の内容】
【００１３】
本発明のコンピュータプログラムは、イメージセンサから順次出力される画素データの処理をコンピュータに実行させるためのコンピュータプログラムであって、補正指示があったときに前記イメージセンサから入力される画素データに補正処理を行う処理と、補正対象画素のアドレスに該当する画素データが前記イメージセンサから入力されるのに同期して前記補正指示を出力する補正指示出力処理とをコンピュータに実行させるためのものである。
【手続補正１０】
【補正対象書類名】明細書
【補正対象項目名】００１４
【補正方法】変更
【補正の内容】
【００１４】
本発明のコンピュータプログラムの他の特徴とするところは、イメージセンサから順次出力される画素データの処理をコンピュータに実行させるためのコンピュータプログラムであって、前記イメージセンサの補正対象画素のアドレスを記憶するメモリからアドレスデータを読み出し、前記アドレスデータに基づいてシフトレジスタを設定し、前記イメージセンサからのデータに同期して前記シフトレジスタを動作させて前記イメージセンサからのデータに対する画素補正を制御する処理をコンピュータに実行させるためのものである。
【手続補正１１】
【補正対象書類名】明細書
【補正対象項目名】００１５
【補正方法】変更
【補正の内容】
【００１５】
また、本発明のコンピュータプログラムのその他の特徴とするところは、イメージセンサから順次出力される画素データの処理をコンピュータに実行させるためのコンピュータプログラムであって、前記イメージセンサの補正対象画素のアドレスを記憶するメモリからアドレスデータを読み出し、前記アドレスデータに基づいて複数のシフトレジスタのいずれかを設定し、同時に前記イメージセンサからのデータに同期して別のシフトレジスタを動作させて画素補正を制御する処理をコンピュータに実行させるためのものである。
【手続補正１２】
【補正対象書類名】明細書
【補正対象項目名】００１９
【補正方法】変更
【補正の内容】
【００１９】
イメージデータ処理装置１１３において、１０２はイメージデータ処理装置１１３の入力端子である。１０３は画素補正処理を行う画像補正部（補正手段）であり、イメージセンサ１０１からのデータが入力される入力端子１０４、シフトレジスタ１１０からの画素補正指示信号が入力される入力端子１０５、画素補正結果を出力する出力端子１１２を有する。
【手続補正１３】
【補正対象書類名】明細書
【補正対象項目名】００２０
【補正方法】変更
【補正の内容】
【００２０】
１０６は補正対象のアドレスデータを保持するアドレス保持メモリ部（記憶手段）で、任意のフォーマットでデータが収められている。１０７はメモリフェッチ部であり、アドレス保持メモリ部１０６に保持されているメモリデータが所定の補正対象アドレスごとの単位で取り込まれる。１０８は行カウンタである。
【手続補正１４】
【補正対象書類名】明細書
【補正対象項目名】００２１
【補正方法】変更
【補正の内容】
【００２１】
１０９はアドレスデコーダであり、行カウンタ１０８の情報とメモリフェッチ部１０７からの補正対象アドレスの情報が入力される。１１０は１ビットシリアルのシフトレジスタ（補正指示出力手段）であり、アドレスデコーダ１０９から出力されたデコード結果を受け、最終段１１１から画素補正指示信号を画像補正部１０３の入力端子１０５に出力する。
【手続補正１５】
【補正対象書類名】明細書
【補正対象項目名】００６２
【補正方法】変更
【補正の内容】
【００６２】
図６において、１１はレンズ１２の保護とメインスイッチを兼ねるバリア、１２は被写体の光学像をイメージセンサ１４に結像させるレンズ（光学系）、１３はレンズ１２を通った光量を可変するための絞り、１４はレンズ１２で結像された被写体像を画像信号として取り込むためのイメージセンサ、１５は本発明に係わるイメージデータ処理装置であり、イメージセンサ１４から出力される画像信号の欠陥補正をする画像補正部１８を有している。１６はイメージデータ処理装置１５から出力された画像信号のアナログ−デジタル変換を行うＡ／Ｄ変換器、１７はＡ／Ｄ変換器１６から出力された画像データに各種の補正を行い、あるいはデータを圧縮する信号処理部である。ここで、イメージデータ処理装置１５は、イメージセンサ１４、Ａ／Ｄ変換器１６、画像補正部１８、及び信号処理部１７等にタイミング信号を供給する駆動回路を含んでおり、画像補正部１８と駆動回路とは、同一半導体チップ上に形成されている。また、イメージセンサ処理装置１５は、Ａ／Ｄ変換器１６の後段であってもよい。